(57)【要約】【課題】容易かつ簡単に廃棄処分を行なうことができる受像シート収納カセットを提供する。【解決手段】受像シート収納カセット１０は一対の側板１１ａ，１１ｂと、一対の側板１１ａ，１１ｂ間に設けられリボン１２ｃが巻付けられたリボン供給ボビン１２ａおよびリボン排出ボビン１２ｂと、一対の側板１１ａ，１１ｂ間に設けられた受像シート体１５とを備えている。各側板１１ａ，１１ｂは互いに分解独立している。各側板１１ａ，１１ｂは、リボン供給ボビン１２ａ、リボン排出ボビン１２ｂおよび受像シート体１５によって堅固に連結されている。【選択図】　図１
2004074648.tif 000002
【特許請求の範囲】
【請求項１】
一対の側板と、
この一対の側板間に掛け渡され、リボンが巻付けられたリボン供給ボビンおよびボビン排出ボビンと、
一対の側板間に配置された受像シート体とを備え、
各側板は互いに独立し、リボン供給ボビン、リボン排出ボビンおよび受像シート体によって連結されていることを特徴とする受像シート収納カセット。
【請求項２】
受像シート体は各側板に対応して設けられた受フランジと、一対の受フランジ間に設けられたロール状の熱転写受像シートとを有することを特徴とする請求項１記載の受像シート収納カセット。
【請求項３】
受像シート体は枚葉型熱転写受像シートを有することを特徴とする請求項１記載の受像シート収納カセット。
【請求項４】
熱転写受像シートは受容層と、粘着剤層と、離形シートとを有することを特徴とする請求項１または２記載の受像シート収納カセット。
【発明の詳細な説明】
【０００１】
【発明の属する技術分野】
本発明は熱転写受像シートを収納した受像シート収納カセットに係り、とりわけ容易に廃棄することができる受像シート収納カセットに関する。
【０００２】
【従来の技術】
従来より受像シート収納カセットとして、箱体と、箱体内に収納されたリボン供給ボビンおよびリボン排出ボビンと、箱体内に収納された受像シート体とを備えたものが知られている。
【０００３】
【発明が解決しようとする課題】
従来のカセットを破棄する場合、箱体を破壊し、内部のリボン供給ボビン等の内容物を分別して処分している。また受像シート収納カセットはまとめて回収し搬送廃棄又は再利用するため、箱体の体積が大きい場合、大きな回収空間を必要とする。このため回収効率が悪く、エネルギーと廃棄費用がかかるのが実情である。
【０００４】
本発明はこのような点を考慮してなされたものであり、容易に廃棄処分又は再利用を行うことができる受像シート収納カセットを提供することを目的とする。
【０００５】
【課題を解決するための手段】
本発明は、この一対の側板間に掛け渡され、リボンが巻付けられたリボン供給ボビンおよびボビン排出ボビンと、一対の側板間に配置された受像シート体とを備え、各側板は互いに独立し、リボン供給ボビン、リボン排出ボビンおよび受像シート体によって連結されていることを特徴とする受像シート収納カセットである。
【０００６】
本発明は、受像シート体は各側板に対応して設けられた受フランジと、一対の受フランジ間に設けられたロール状の熱転写受像シートとを有することを特徴とする受像シート収納カセットである。
【０００７】
本発明は、受像シート体は枚葉型熱転写受像シートを有することを特徴とする受像シート収納カセットである。
【０００８】
本発明は、熱転写受像シートは受容層と、粘着剤層と、離形シートとを有することを特徴とする受像シート収納カセットである。
【０００９】
【発明の実施の形態】
以下、図面を参照して本発明の実施の形態について説明する。
【００１０】
図１乃至図６は本発明による受像シート収納カセットの一実施の形態を示す図である。
【００１１】
図１および図２に示すように、受像シート収納カセット１０は、一対の側板１１ａ，１１ｂと、この一対の側板１１ａ，１１ｂ間に掛け渡されたリボン供給ボビン１２ａおよびリボン排出ボビン１２ｂとを備えている。
【００１２】
このうち、リボン供給ボビン１２ａとリボン排出ボビン１２ｂには、各々リボン（熱転写シート）１２ｃが巻付けられ、このリボン１２ｃはリボン供給ボビン１２ａから巻出され、リボン排出ボビン１２ｂに巻取られる。またリボン供給ボビン１２ａとリボン排出ボビン１２ｂは、軸受１７により側板１１ａに保持されている。
【００１３】
また一対の側板１１ａ，１１ｂ間には、受像シート体１５が配置されている。
【００１４】
この受像シート体１５は、各側板１１ａ，１１ｂに対応して設けられた受フランジ１６ａ，１６ｂと、一対の受フランジ１６ａ，１６ｂ間に設けられたロール状の熱転写受像シート１８とを有している。
【００１５】
熱転写受像シート１８は、受容層１８ａと、粘着層１８ｂと、離型シート１８ｃとを有し、一対の受フランジ１６ａ，１６ｂ内にコアレス状に巻き取られている。ここでコアレス状とは、従来のように円筒形のコア部材にメディアが巻き付けられているのではなく、コア部材が無い状態でメディアが円筒状の巻体としてあり、メディア自体の剛性とそれを両端で支持するフランジとによってのみ当該円筒状形態が維持されている状態を言う。このため熱転写受像シート１８に巻きずれ、巻き蛇行が生じることはなく、また熱転写受像シート１８のエンド部において段差が生じることはない。
【００１６】
なお、一対の受フランジ１６ａ，１６ｂ間にロール状の熱転写受像シート１８を巻取ってなる受像シート体１５は、一対の側板１１ａ，１１ｂ間を互いに堅固に連結する機能を有している。
【００１７】
すなわち、一対の側板１１ａ，１１ｂは互いに分離独立して設けられ、この一対の側板１１ａ，１１ｂはその間に設置されたリボン供給ボビン１２ａ、リボン排出ボビン１２ｂおよび受像シート体１５によって互いに連結されている。
【００１８】
ここで図１（ａ）は受像シート収納カセット１０の一方の側面図、図１（ｂ）はその正面図、図１（ｃ）はその他方の側面図である。また図２は、受像シート収納カセット１０を分離した状態を示す図である。
【００１９】
図２に示すように、使用後に受像シート収納カセット１０を廃棄する場合、受像シート収納カセット１０を容易かつ簡単に複数の構成部材１１ａ，１１ｂ，１２ａ，１２ｂ，１６ａ，１６ｂ，１７に分離することができる。
【００２０】
この場合、受像シート体１５の一対の受フランジ１６ａ，１６ｂに巻付けられた熱転写受像シート１８が消費されているので、受像シート体１５については一対の受フランジ１６ａ，１６ｂのみが残ることになる。また一対の側板１１ａ，１１ｂは従来の箱体に代わるものであるが、一対の側板１１ａ，１１ｂは簡単に重ねることができるため、箱体に比べて回収した場合の空間を大きく減少させることができる。
【００２１】
次に図３乃至図５により、受像シート収納カセット１０をプリンタ２０内に組み込む状態について説明する。
【００２２】
図３に示すように、プリンタ２０は、サーマルヘッド２４を有するプリンタ本体２０ａと、プリンタ本体２０ａに対してスライドするスライド台２１とを有し、受像シート収納カセット１０はプリンタ本体２０ａから引出されたスライド台２１上に載置される。
【００２３】
次にスライド台２１をプリンタ本体２０ａに押込むことにより、受像シート収納カセット１０をプリンタ２０のプリンタ本体２０ａ内に挿着することができる。
【００２４】
ここで図５（ａ）はプリンタ本体２０ａから引出されたスライド台２１上の受像シート収納カセット１０を示し、図５（ｂ）はプリンタ本体２０ａ内に押込まれたスライド台２１上の受像シート収納カセット１０を示す。
【００２５】
図３および図５に示すプリンタ２０のプリンタ本体２０ａの内壁面には、受像シート収納カセット１０のうちリボン供給ボビン１２ａおよびリボン排出ボビン１２ｂを案内するガイド溝２２と、受像シート体１５の受フランジ１６ａ，１６ｂを案内するガイド溝２３とが各々設けられている。
【００２６】
このガイド溝２２，２３はプリンタ本体２０ａの内壁面に、スライド台２１側からプリンタ本体２０ａに向ってステップ状に上昇するよう設けられている（図４）。このためプリンタ本体２０ａ内に、受像シート収納カセット１０を載置したスライド台２１を押込む場合、ガイド溝２２によってリボン供給ボビン１２ａ，１２ｂがプリンタ本体２０ａ内でわずかに上昇する。同時にガイド溝２３によって受像シート体１５の受フランジ１６ａ，１６ｂもわずかに上昇する。このため受像シート収納カセット１０を載置したスライド台２１を完全にプリンタ本体２０ａ内に押込んだ場合、リボン供給ボビン１２ａ、リボン排出ボビン１２ｂ、および受像シート体１５の受フランジ１６ａ，１６ｂが一対の側板１１ａ，１１ｂからわずかに浮上がる。このため、プリンタ本体２０ａ内の駆動機構によりリボン供給ボビン１２ａ、リボン排出ボビン１２ｂおよび受像シート体１５の受フランジ１６ａ，１６ｂを確実に駆動することができる。
【００２７】
プリンタ２０を使用して受像シート収納カセット１０内の熱転写シート１８が消費された場合、上述と逆工程によりプリンタ２０のプリンタ本体２０ａからスライド台２１が引出される。
【００２８】
次にスライド台２１から受像シート収納カセット１０が取出され、この受像シート収納カセット１０が分解して廃棄される。
【００２９】
この場合、受像シート収納カセット１０の受像シート体１５については一対の受フランジ１６ａ，１６ｂのみが残るので、受フランジ１６ａ，１６ｂのみを廃棄すればよい。また受像シート収納カセット１０の一対の側板１１ａ，１１ｂは従来の箱体に代わるものであり、箱体に比べて簡単に重ねることができる。このようにして、受像シート収納カセット１０を容易に分解することができ、従来の箱体を有するものに比べて回収空間を大幅に減少することができる。
【００３０】
以上のように本実施の形態によれば、容易かつ簡単に廃棄処分を行なうことができる受像シート収納カセットを提供することができる。
【００３１】
なお、上記実施の形態において受像シート体１５としてロール状の熱転写受像シートを有するものの例を示したが、これに限らず枚葉型熱転写受像シートを有するものであってもよい。
【００３２】
【発明の効果】
以上説明したように本発明によれば、容易かつ簡単に廃棄処分を行なうことができる受像シート収納カセットを提供することができる。
【図面の簡単な説明】
【図１】本発明による受像シート収納カセットの一実施の形態を示す図。
【図２】受像シート収納カセットを分解した状態を示す図。
【図３】プリンタ内に受像シート収納カセットを装着する状態を示す側面図。
【図４】プリンタ本体内のガイド溝を示す図。
【図５】プリンタ内に装着される受像シート収納カセットを示す正面図。
【図６】熱転写受像シートを示す図。
【符号の説明】
１０　受像シート収納カセット
１１ａ，１１ｂ　側板
１２ａ　リボン供給ボビン
１２ｂ　リボン排出ボビン
１２ｃ　リボン
１５　受像シート体
１６ａ，１６ｂ　受フランジ
１８　熱転写受像シート
２０　プリンタ
２０ａ　プリンタ本体
【図１】
2004074648.tif 000003
【図２】
2004074648.tif 000004
【図３】
2004074648.tif 000005
【図４】
2004074648.tif 000006
【図５】
2004074648.tif 000007
【図６】
2004074648.tif 000008